(57)【要約】【課題】データサイズの制限による値域の制限を有するデータを用いる場合でも、新たに定義する不定値に基づく不定性の概念を利用することにより、受信点の加速度を求めることができる加速度計測装置を提供する。【解決手段】加速度計算部３は、搬送波位相のデータを含む測位用データに基づいて、搬送波位相の加速度成分を算出する。続いて、加速度計算部３は、搬送波位相のデータに関するデータサイズまたは時間間隔に応じた搬送波位相の加速度成分の不定値を算出する。続いて、加速度計算部３は、搬送波位相の加速度成分に不定値を加算することによって、不定性を解消した搬送波位相の加速度成分を算出し、それと方向余弦とに基づいて、受信点の加速度を算出する。【選択図】図１
2010066106.tif 000002
【特許請求の範囲】
【請求項１】
測位用衛星から電波を受信し、当該電波に基づく測位用データを取得する受信部と、
搬送波位相のデータを含む前記測位用データに基づいて、搬送波位相の加速度成分を算出する第１の加速度成分算出部と、
前記搬送波位相のデータに関するデータサイズまたは時間間隔に応じた前記搬送波位相の加速度成分の不定値を算出する不定値算出部と、
前記搬送波位相の加速度成分に前記不定値を加算することによって、不定性を解消した搬送波位相の加速度成分を算出する第２の加速度成分算出部と、
前記第２の加速度成分算出部が算出した前記搬送波位相の加速度成分と方向余弦とに基づいて、受信点の加速度を算出する受信点加速度算出部と、
を備えたことを特徴とする加速度計測装置。
【請求項２】
前記不定値算出部は、前記搬送波位相の加速度成分と受信点の概略加速度とに基づいて前記不定値を算出することを特徴とする請求項１に記載の加速度計測装置。
【請求項３】
測位用衛星から電波を受信し、当該電波に基づく測位用データを取得する受信部と、
ドップラー周波数のデータを含む前記測位用データに基づいて、ドップラー周波数偏移の変化率成分を算出する第１のドップラー周波数偏移の変化率成分算出部と、
前記ドップラー周波数のデータに関するデータサイズまたは時間間隔に応じた前記ドップラー周波数偏移の変化率成分の不定値を算出する不定値算出部と、
前記ドップラー周波数偏移の変化率成分に前記不定値を加算することによって、不定性を解消したドップラー周波数偏移の変化率成分を算出する第２のドップラー周波数偏移の変化率成分算出部と、
前記第２のドップラー周波数偏移の変化率成分算出部が算出した前記ドップラー周波数偏移の変化率成分と方向余弦とに基づいて、受信点の加速度を算出する受信点加速度算出部と、
を備えたことを特徴とする加速度計測装置。
【請求項４】
前記不定値算出部は、前記ドップラー周波数偏移の変化率成分と受信点の概略加速度とに基づいて前記不定値を算出することを特徴とする請求項３に記載の加速度計測装置。
【請求項５】
測位用衛星から電波を受信し、当該電波に基づく測位用データを取得する受信部と、
搬送波位相のデータを含む前記測位用データに基づいて、搬送波位相の加速度成分を算出する第１の加速度成分算出部と、
前記搬送波位相のデータに関するデータサイズまたは時間間隔に応じた前記搬送波位相の加速度成分の衛星間１重差の不定値を算出する不定値算出部と、
前記搬送波位相の加速度成分の衛星間１重差に前記不定値を加算することによって、不定性を解消した搬送波位相の加速度成分の衛星間１重差を算出する第２の加速度成分算出部と、
前記第２の加速度成分算出部が算出した前記搬送波位相の加速度成分の衛星間１重差と方向余弦とに基づいて、受信点の加速度を算出する受信点加速度算出部と、
を備えたことを特徴とする加速度計測装置。
【請求項６】
前記不定値算出部は、前記搬送波位相の加速度成分の衛星間１重差と受信点の概略加速度とに基づいて前記不定値を算出することを特徴とする請求項５に記載の加速度計測装置。
【請求項７】
測位用衛星から電波を受信し、当該電波に基づく測位用データを取得する受信部と、
ドップラー周波数のデータを含む前記測位用データに基づいて、ドップラー周波数偏移の変化率成分を算出する第１のドップラー周波数偏移の変化率成分算出部と、
前記ドップラー周波数のデータに関するデータサイズまたは時間間隔に応じた前記ドップラー周波数偏移の変化率成分の衛星間１重差の不定値を算出する不定値算出部と、
前記ドップラー周波数偏移の変化率成分の衛星間１重差に前記不定値を加算することによって、不定性を解消したドップラー周波数偏移の変化率成分の衛星間１重差を算出する第２のドップラー周波数偏移の変化率成分算出部と、
前記第２のドップラー周波数偏移の変化率成分算出部が算出した前記ドップラー周波数偏移の変化率成分の衛星間１重差と方向余弦とに基づいて、受信点の加速度を算出する受信点加速度算出部と、
を備えたことを特徴とする加速度計測装置。
【請求項８】
前記不定値算出部は、前記ドップラー周波数偏移の変化率成分の衛星間１重差と受信点の概略加速度とに基づいて前記不定値を算出することを特徴とする請求項７に記載の加速度計測装置。
【発明の詳細な説明】
【技術分野】
【０００１】
本発明は、測位用衛星から受信した電波に基づく測位用データを用いて受信点の加速度を計測する加速度計測装置に関する。
【背景技術】
【０００２】
従来から、GPS（Global Positioning System）等の測位用衛星の搬送波位相を利用した加速度計測が行われている。例えば特許文献１には、搬送波位相の速度成分であるドップラー周波数偏移量を用いて受信点の速度を計測し、その速度の変化量を求めて受信点の加速度を算出することが記載されている。
【特許文献１】特開２００６−１０５６３５号公報
【発明の開示】
【発明が解決しようとする課題】
【０００３】
従来の加速度計測では、受信点の速度が算出できない場合には加速度も算出することができない。受信点の速度が算出できない例としては、以下のような例がある。従来の加速度計測では、受信機で得られた搬送波位相等の各種データを外部機器が通信により取得し、その外部機器が加速度を算出していた。このような構成では、通信コストを削減するため、あるいは限られた通信速度で通信可能なサンプル数を増加して精度を向上させるため、１サンプル当たりの搬送波位相のデータサイズを縮小しなければならないときがある。
【０００４】
受信機で観測された搬送波位相のデータが、上位桁を除いた下位桁に制限されたデータサイズを有するものである場合、搬送波位相データから算出した速度成分データの値域には、範囲制限が発生する。このままでは、受信点の速度の衛星方向成分が当該値域を超えた場合には、受信点の速度を求めることはできない。
【０００５】
例えば、40msec間隔で観測したGPS衛星のL1搬送波位相（周波数：1575.42MHz／波長：約19cm）について、その観測データが、整数部を省略した小数部のみのデータである場合、衛星と受信点の相対速度によるL1搬送波位相の速度成分の測定範囲は、正数で表現すると0.0［km/h］から約17.1［km/h］（以下の（１）式参照）までとなる。
0.19［m］／0.04［sec］＝4.75［m/s］（17.1［km/h］）  ・・・（１）
【０００６】
したがって、受信点の速度が「搬送波位相の速度成分データ」に反映されたとしても、当該速度成分データには約17.1［km/h］の範囲制限が存在することになる。よって、乗用車等の移動体において計測を行う場合、実用範囲（0〜180km/h等）の速度計測は困難となる。
【０００７】
また、受信点の加速度が算出できない例としては、以下のような例がある。受信機で観測された搬送波位相のデータが、上位桁を除いた下位桁に制限されたデータサイズを有するものである場合、搬送波位相データから算出した加速度成分データの値域には、範囲制限が発生する。このままでは、受信点の加速度の衛星方向成分が当該値域を超えた場合には、受信点の加速度を求めることはできない。
【０００８】
例えば、前述した例と同様に、40msec間隔で観測したGPS衛星のL1搬送波位相（周波数：1575.42MHz／波長：約19cm）について、その観測データが、整数部を省略した小数部のみのデータである場合、衛星と受信点の相対加速度によるL1搬送波位相の加速度成分の測定範囲は、正数で表現すると0.0Gから約12.1G（以下の（２）式参照）までとなる。
0.19［m］／0.04［sec］／0.04［sec］＝118.9［m/s２］（約12.1G）（1G＝9.80665［m/s２］）  ・・・（２）
【０００９】
したがって、受信点の加速度が「搬送波位相の加速度成分データ」に反映されたとしても、当該加速度成分データには約12.1Gの範囲制限が存在することになる。よって、計測対象の加速度の衛星方向成分が約12.1Gの範囲を超える場合（ロケットやミサイル等）、加速度計測は困難となる。
【００１０】
本発明は、上述した課題に鑑みてなされたものであって、値域に制限を有するデータを用いる場合でも、新たに定義する不定値に基づく不定性の概念を利用することにより、受信点の加速度を求めることができる加速度計測装置を提供することを目的とする。
【課題を解決するための手段】
【００１１】
本発明は、上記の課題を解決するためになされたもので、測位用衛星から電波を受信し、当該電波に基づく測位用データを取得する受信部と、搬送波位相のデータを含む前記測位用データに基づいて、搬送波位相の加速度成分を算出する第１の加速度成分算出部と、前記搬送波位相のデータに関するデータサイズまたは時間間隔に応じた前記搬送波位相の加速度成分の不定値を算出する不定値算出部と、前記搬送波位相の加速度成分に前記不定値を加算することによって、不定性を解消した搬送波位相の加速度成分を算出する第２の加速度成分算出部と、前記第２の加速度成分算出部が算出した前記搬送波位相の加速度成分と方向余弦とに基づいて、受信点の加速度を算出する受信点加速度算出部とを備えたことを特徴とする加速度計測装置である。
【００１２】
また、本発明の加速度計測装置において、前記不定値算出部は、前記搬送波位相の加速度成分と受信点の概略加速度とに基づいて前記不定値を算出することを特徴とする。
【００１３】
また、本発明は、測位用衛星から電波を受信し、当該電波に基づく測位用データを取得する受信部と、ドップラー周波数のデータを含む前記測位用データに基づいて、ドップラー周波数偏移の変化率成分を算出する第１のドップラー周波数偏移の変化率成分算出部と、前記ドップラー周波数のデータに関するデータサイズまたは時間間隔に応じた前記ドップラー周波数偏移の変化率成分の不定値を算出する不定値算出部と、前記ドップラー周波数偏移の変化率成分に前記不定値を加算することによって、不定性を解消したドップラー周波数偏移の変化率成分を算出する第２のドップラー周波数偏移の変化率成分算出部と、前記第２のドップラー周波数偏移の変化率成分算出部が算出した前記ドップラー周波数偏移の変化率成分と方向余弦とに基づいて、受信点の加速度を算出する受信点加速度算出部とを備えたことを特徴とする加速度計測装置である。
【００１４】
また、本発明の加速度計測装置において、前記不定値算出部は、前記ドップラー周波数偏移の変化率成分と受信点の概略加速度とに基づいて前記不定値を算出することを特徴とする。
【００１５】
また、本発明は、測位用衛星から電波を受信し、当該電波に基づく測位用データを取得する受信部と、搬送波位相のデータを含む前記測位用データに基づいて、搬送波位相の加速度成分を算出する第１の加速度成分算出部と、前記搬送波位相のデータに関するデータサイズまたは時間間隔に応じた前記搬送波位相の加速度成分の衛星間１重差の不定値を算出する不定値算出部と、前記搬送波位相の加速度成分の衛星間１重差に前記不定値を加算することによって、不定性を解消した搬送波位相の加速度成分の衛星間１重差を算出する第２の加速度成分算出部と、前記第２の加速度成分算出部が算出した前記搬送波位相の加速度成分の衛星間１重差と方向余弦とに基づいて、受信点の加速度を算出する受信点加速度算出部とを備えたことを特徴とする加速度計測装置である。
【００１６】
また、本発明の加速度計測装置において、前記不定値算出部は、前記搬送波位相の加速度成分の衛星間１重差と受信点の概略加速度とに基づいて前記不定値を算出することを特徴とする。
【００１７】
また、本発明は、測位用衛星から電波を受信し、当該電波に基づく測位用データを取得する受信部と、ドップラー周波数のデータを含む前記測位用データに基づいて、ドップラー周波数偏移の変化率成分を算出する第１のドップラー周波数偏移の変化率成分算出部と、前記ドップラー周波数のデータに関するデータサイズまたは時間間隔に応じた前記ドップラー周波数偏移の変化率成分の衛星間１重差の不定値を算出する不定値算出部と、前記ドップラー周波数偏移の変化率成分の衛星間１重差に前記不定値を加算することによって、不定性を解消したドップラー周波数偏移の変化率成分の衛星間１重差を算出する第２のドップラー周波数偏移の変化率成分算出部と、前記第２のドップラー周波数偏移の変化率成分算出部が算出した前記ドップラー周波数偏移の変化率成分の衛星間１重差と方向余弦とに基づいて、受信点の加速度を算出する受信点加速度算出部とを備えたことを特徴とする加速度計測装置である。
【００１８】
また、本発明の加速度計測装置において、前記不定値算出部は、前記ドップラー周波数偏移の変化率成分の衛星間１重差と受信点の概略加速度とに基づいて前記不定値を算出することを特徴とする。
【発明の効果】
【００１９】
本発明の加速度計測装置によれば、値域に制限を有するデータを用いる場合であっても、新たに定義する不定値に基づく不定性の概念を利用することにより、受信点の加速度を求めることができるという効果が得られる。
【発明を実施するための最良の形態】
【００２０】
以下、図面を参照し、本発明の実施形態を説明する。まず、本実施形態に適用される本発明の技術思想を説明する。前述したように、受信機で観測された搬送波位相のデータが、上位桁を除いた下位桁に制限されたデータサイズを有するものである場合、その搬送波位相データから算出した加速度成分データの値域には、範囲制限が生じる。このままでは、受信点の加速度の衛星方向成分が当該値域を超えた場合には、受信点の加速度を求めることはできない。
【００２１】
ここで、本発明者は、搬送波位相の加速度成分データの値域が、搬送波位相の「データサイズ」および「使用データ時間間隔」（例えば観測時間間隔）に応じて制限されるという特性に着目し、当該特性を有する「値域の制限」を利用して本来の加速度成分の値（値域に制限がないときの値）を求める方法および装置を発明した。本特性を利用した方法とは、計測対象の加速度範囲、要求精度、頻度、および通信速度などの状況に応じて上記特性に基づきデータサイズや使用データ間隔を意図的に設定することにより制限した加速度成分の値域の大きさ（以下、加速度成分のデータ単位とする）を用い、あるいは、既存の機器構成において予め制限された加速度成分の値域の大きさを用い、その一定値を１単位とする整数倍のオフセット量を各衛星毎に算出し、各衛星の元のデータ値（値域が制限された加速度成分のデータ値）に加算することにより、観測した全ての衛星について、本来の加速度成分の値を求め、受信点の加速度を算出する、という一連の処理である。
【００２２】
ただし、本発明の処理過程においては、オフセット量を算出するための整数値が不明であるため、別途、当該整数値を求める必要がある。ここで、不明な整数値を「不明整数値」と定義し、不確定な加速度成分のオフセット量の値を「加速度成分の不定値」と定義する。この定義を本発明の該当箇所に適用すると、“各衛星毎に不明整数値の解（整数解）を求め、「加速度成分のデータ単位」と、求めた「不明整数値の解」との積による「加速度成分の不定値の解」を各衛星の元のデータ値に加算することにより本来の値を求める”という具体的な解法を導くことができる。
【００２３】
上記のような不定性の概念を新たに導入した本発明において、搬送波位相の加速度成分についての定義式を以下に示す。まず、「搬送波位相のデータサイズに対応する量」をＳとし「使用データ時間間隔」をΔｔとすると、搬送波位相の加速度成分のデータ単位Ｕａは以下の（３）式で定義することができる。
Ｕａ＝Ｓ／Δｔ２  ・・・（３）
【００２４】
以下、（３）式で定義した「加速度成分のデータ単位Ｕａ」が、値域の制限された測定範囲と一致することを説明する。例えば、前述した場合と同様に、40msec間隔で観測したGPS衛星のL1搬送波位相（周波数：1575.42MHz／波長：約19cm）について、その観測データが、整数部を省略した小数部のみのデータである場合、衛星と受信点の相対加速度によるL1搬送波位相の加速度成分（観測量）の測定範囲は、正数で表現すると0.0Gから約12.1G（前述した（２）式参照）までとなる。また、半波長で正規化した場合は約±6.1Gとなる。
【００２５】
したがって、受信点の加速度が観測量に反映されたとしても、搬送波位相データの整数部が省略されているため、データサイズの単位であるL1周波数の１波長と観測時間間隔とに基づき、観測量には約12.1Gの範囲制限が存在する。ここで、新たに導入した不定性の概念に基づいて、この「制限された測定範囲」を「当該範囲を１単位とするデータ単位」とみなし、定義した（３）式を適用する。このとき、（３）式のＳは約0.19［m］、Δｔは0.04［sec］、Ｕａは約12.1Gとなり、本定義による「加速度成分のデータ単位Ｕａ」は「制限された測定範囲」と一致する。
【００２６】
また、40msec間隔で観測したGPS衛星のL1搬送波位相（周波数：1575.42MHz／波長：約19cm）について、その観測データが、整数部を省略した小数部のみのデータであり、使用データ時間間隔を200msecに設定した場合、衛星と受信点の相対加速度によるL1搬送波位相の加速度成分（観測量）の測定範囲は、正数で表現すると0.0Gから約0.48G（以下の（４）式参照）までとなる。また、半波長で正規化した場合は約±0.24Gとなる。
0.19［m］／0.2［sec］／0.2［sec］＝4.75［m/s２］（約0.48G）（1G＝9.80665［m/s２］）  ・・・（４）
【００２７】
したがって、受信点の加速度が観測量に反映されたとしても、観測量には約0.48Gの範囲制限が存在する。ここで、新たに導入した不定性の概念に基づいて、この「制限された測定範囲」を「当該範囲を１単位とするデータ単位」とみなし、定義した（３）式を適用する。このとき、（３）式のＳは約0.19［m］、Δｔは0.2［sec］、Ｕａは約0.48Gとなり、本定義による「加速度成分のデータ単位Ｕａ」は「制限された測定範囲」と一致する。
【００２８】
さらに、不定値を加算した「搬送波位相の加速度成分」は以下の（５）式で定義することができる。ここで、（Ｕａ・Ｎｉａ）が衛星ｉの「加速度成分の不定値」である。
Φｉａｕ＝Φｉａ＋（Ｕａ・Ｎｉａ）  ・・・（５）
Φｉａｕ：衛星ｉの搬送波位相の加速度成分（不定値を加算）
Φｉａ：衛星ｉの搬送波位相の加速度成分（値域はデータ単位の範囲）
Ｕａ：加速度成分のデータ単位
Ｎｉａ：衛星ｉの不明整数値
【００２９】
補足的に説明するが、一般にGPS搬送波位相による相対測位などで考慮されている「整数値不定性」（整数値アンビギュイティなどとも呼ぶ）は、システム上の特性として、当該測位における観測位相の整数波数が不確定なことを表している。したがって、その不定性の単位は１［cycle］で固定されている。また、搬送波位相のデータの「使用データ時間間隔」とは無関係である。つまり、搬送波位相の「データサイズ」および「使用データ時間間隔」を要因とした任意のデータ単位に基づく、本発明における「データ値の不定性」は、上記の一般的な「整数値不定性」とは異なる概念である。
【００３０】
次に、「データサイズ」および「使用データ時間間隔」に基づくデータ値の不定性の概念を利用して、値域に制限を有する搬送波位相の加速度成分のデータを用いて受信点の加速度を求める方法を説明する。図１は、本実施形態による加速度計測装置の構成を示している。図１において、アンテナ１はGPS等の測位用衛星４ａ〜４ｄから電波を受信する。
【００３１】
測位処理部２は受信機本体内に設けられており、衛星受信部２ａおよび測位部２ｂを備えている。衛星受信部２ａは、アンテナ１によって受信された電波に基づく電気信号を処理し、測位用データを測位部２ｂへ出力すると共に、同じく測位用データである搬送波位相（またはドップラー周波数）および航法メッセージのデータを加速度計算部３へ出力する。測位部２ｂは、衛星受信部２ａからの各測位用データに基づいて受信点の概略位置および時刻を算出し、算出結果のデータおよび受信機クロックバイアスを加速度計算部３へ出力する。受信点の概略位置は、コード位相を用いて求められる。
【００３２】
加速度計算部３は受信機外部の機器内に設けられており、測位処理部２から入力された各種データに基づいて受信点の加速度を算出する。なお、図１では測位用衛星４ａ〜４ｄを図示しているが、３個以上であれば測位用衛星の数は問わない。
【００３３】
以下、図２に示した手順に沿って、受信点加速度の算出方法を説明する。なお、加速度計算部３はデータの読み書きが可能な揮発性または不揮発性のメモリを内部に備えており、衛星受信部２ａおよび測位部２ｂから受信した各種データをメモリに格納し、その各種データを適宜メモリから読み出して以下の演算を実行する。また、加速度計算部３は、各ステップでの演算結果をメモリに格納し、それ以降のステップにおいて、以前のステップでの演算結果を適宜メモリから読み出し、演算を実行する。
【００３４】
（ステップＳ１００）
まず、加速度計算部３は測位部２ｂから受信点の概略位置・時刻と受信機クロックバイアスのデータを受信する。
【００３５】
（ステップＳ１１０）
ステップＳ１００に続いて、加速度計算部３は衛星受信部２ａから搬送波位相（またはドップラー周波数）および航法メッセージのデータを受信し、以下の処理を実行する。まず、加速度計算部３は受信点の概略加速度および受信機の概略クロックドリフトレートを算出する。受信点の概略加速度は、受信点の概略位置（緯度、経度、高度の３成分、あるいは地球に固定された座標系のｘ、ｙ、ｚの３成分など）の単位時間当たりの変化量の変化率から求まる。なお、測位部２ｂが算出した受信点の概略位置にローパスフィルタ処理が施されている場合には、そのフィルタ時定数を搬送波位相のフィルタ時定数と一致させることが望ましい。また、外部センサ（車速パルス、潮流計、磁気方位センサ、傾斜計等）の出力値から受信点の概略加速度を求めてもよい。受信機の概略クロックドリフトレートは、受信機クロックバイアスの単位時間当たりの変化量の変化率から求まる。本実施形態では、上記の受信点の概略加速度はGPS受信機の外部で算出することを想定しているが、別の形態として、GPS受信機の内部で受信点の概略加速度を算出してもよい。
【００３６】
（ステップＳ１２０）
ステップＳ１１０に続いて、加速度計算部３は受信点の概略加速度の算出結果を検定する。この検定により、概略加速度の算出結果がＯＫまたはＮＧと判定される。以下のような場合、受信点の概略加速度の算出が不可能または無効となり、算出結果がＮＧであると判定される。第１の場合は、受信点の概略位置の測定頻度が少ないことにより、搬送波位相の観測タイミングにおいて受信点の概略位置が算出されずに概略加速度を求めることができない場合である。第２の場合は、受信点の概略位置に異常が発生し、概略加速度の信頼性が低下して無効となる場合である。
【００３７】
概略加速度の信頼性は、概略加速度の変化量と、同一時間における別途算出した受信点加速度変化率の積算値との差分を所定の基準値と比較することによって判定することが可能である。受信点加速度変化率の算出方法は後述する。ステップＳ１２０において、算出結果がＯＫであると判定された場合、処理はステップＳ１４０に進み、算出結果がＮＧであると判定された場合、処理はステップＳ１３０に進む。
【００３８】
（ステップＳ１３０）
ステップＳ１２０において、算出結果がＮＧであると判定された場合、加速度計算部３は、過去に算出した有効な受信点概略加速度に対して、別途算出した受信点加速度変化率の積算値を加算することによって、受信点概略加速度の推定値を算出する。この後、処理はステップＳ１４０に進む。
【００３９】
（ステップＳ１４０）
加速度計算部３は搬送波位相の加速度成分（観測量）を算出する。以下の（６）式および（７）式が示すように、加速度計算部３は、観測時刻で取得された搬送波位相について２重の時間差分をとることにより搬送波位相の加速度成分を算出する。
Φｉａ（ｔｋ）＝｛（Φｉ（ｔｋ）−Φｉ（ｔｋ−１））−（Φｉ（ｔｋ−１）−Φｉ（ｔｋ−２））｝／Δｔ２  ・・・（６）
Δｔ＝ｔｋ−ｔｋ−１＝ｔｋ−１−ｔｋ−２  （ｋ＝２，３，４，・・・）  ・・・（７）
Φｉａ（ｔｋ）：時刻ｔｋにおける衛星ｉの搬送波位相の加速度成分
Φｉ（ｔｋ）：時刻ｔｋにおいて観測した衛星ｉの搬送波位相
ｔｋ：搬送波位相の観測時刻
Δｔ：観測時間間隔
【００４０】
上記において、搬送波位相の加速度成分Φｉａ（ｔｋ）を定義する時刻を観測時間（時刻ｔｋ−２から時刻ｔｋまで）の最新の時刻ｔｋとしているが、観測時間の中間の時刻ｔｍ（以下の（８）式参照）としてもよい。この場合、上記の（６）式の代わりに以下の（９）式を用いる。また、誤差成分や受信点加速度成分などの加速度成分を算出する全ての場合において、この定義に従って加速度成分を算出するものとする。
ｔｍ＝（ｔｋ＋ｔｋ−２）／２  ・・・（８）
Φｉａ（ｔｍ）＝｛（Φｉ（ｔｋ）−Φｉ（ｔｋ−１））−（Φｉ（ｔｋ−１）−Φｉ（ｔｋ−２））｝／Δｔ２  ・・・（９）
Φｉａ（ｔｍ）：時刻ｔｍにおける衛星ｉの搬送波位相の加速度成分
【００４１】
（ステップＳ１５０）
ステップＳ１４０に続いて、加速度計算部３は、搬送波の伝搬時間と、航法メッセージから得られる衛星軌道情報とを用いて、観測した搬送波位相が発射されたときの衛星位置を算出する。この衛星位置と受信点の概略位置とに基づいて、加速度計算部３は、以下の（１０）式〜（１７）式が示すように、衛星−受信機間距離の加速度成分を算出する。搬送波位相の加速度成分を算出する場合と同様に、加速度計算部３は、衛星−受信機間距離について２重の時間差分をとることにより衛星−受信機間距離の加速度成分を算出する。また、時間差分の計算に用いる衛星−受信機間距離の３つの観測時刻は、観測量の算出で用いた時刻と同一時刻とする。さらに、衛星−受信機間距離の加速度成分を算出するときに使用する受信点の概略位置Ｑは、３つの時刻１組（ｔｋ，ｔｋ−１，ｔｋ−２）においては同一の位置とする。なお、搬送波の伝搬時間は、光路差方程式から算出することが可能である。
Ｄｉａ（ｔｋ）＝｛（Ｄｉ（ｔｋ）−Ｄｉ（ｔｋ−１））−（Ｄｉ（ｔｋ−１）−Ｄｉ（ｔｋ−２））｝／Δｔ２  ・・・（１０）
Ｄｉ（ｔｋ）＝｜Ｐ’ｉ（ｔｋ）−Ｑ｜  ・・・（１１）
Ｄｉ（ｔｋ−１）＝｜Ｐ’ｉ（ｔｋ−１）−Ｑ｜  ・・・（１２）
Ｄｉ（ｔｋ−２）＝｜Ｐ’ｉ（ｔｋ−２）−Ｑ｜  ・・・（１３）
Ｐ’ｉ（ｔｋ）＝Ｐｉ（ｔｋ−τｉ（ｔｋ））  ・・・（１４）
Ｐ’ｉ（ｔｋ−１）＝Ｐｉ（ｔｋ−１−τｉ（ｔｋ−１））  ・・・（１５）
Ｐ’ｉ（ｔｋ−２）＝Ｐｉ（ｔｋ−２−τｉ（ｔｋ−２））  ・・・（１６）
Δｔ＝ｔｋ−ｔｋ−１＝ｔｋ−１−ｔｋ−２  （ｋ＝２，３，４，・・・）  ・・・（１７）
Ｄｉａ（ｔｋ）：時刻ｔｋにおける衛星ｉの移動による衛星−受信機間距離の加速度成分
Ｄｉ（ｔｋ）：時刻ｔｋにおける衛星ｉと受信点の概略位置との距離
Ｐ’ｉ（ｔｋ）：時刻ｔｋにおいて観測した衛星ｉの搬送波位相が衛星ｉから発射されたときの衛星位置
Ｐｉ（ｔｋ）：時刻ｔｋにおける衛星ｉの位置
τｉ（ｔｋ）：時刻ｔｋにおいて観測した衛星ｉの搬送波の伝搬時間
Ｑ：受信点の概略位置
ｔｋ：搬送波位相の観測時刻
Δｔ：観測時間間隔
【００４２】
さらに、加速度計算部３は、衛星クロック誤差、各衛星方向の電離層遅延量、各衛星方向の対流圏遅延量を算出する。衛星クロック誤差および各衛星方向の電離層遅延量は、GPSのインターフェイス仕様ICD-GPS-200記載の方法により算出することが可能である。また、各衛星方向の対流圏遅延量については、各種モデル式により、その推定値を算出することが可能である。なお、SBAS情報を用いて、衛星位置、衛星クロック誤差、各衛星方向の電離層遅延量、各衛星方向の対流圏遅延量を補正してもよい。
【００４３】
さらに、加速度計算部３は、衛星クロック誤差、各衛星方向の電離層遅延量、各衛星方向の対流圏遅延量についてそれぞれ、観測量の時刻に相当する各データの生成時刻における２重の時間差分をとることにより、衛星クロック誤差の加速度成分、各衛星方向の電離層遅延量の加速度成分、各衛星方向の対流圏遅延量の加速度成分を算出する。これら受信点以外の加速度成分である衛星−受信機間距離の加速度成分、衛星クロック誤差の加速度成分、各衛星方向の電離層遅延量の加速度成分、各衛星方向の対流圏遅延量の加速度成分を誤差成分とする。
【００４４】
（ステップＳ１６０）
ステップＳ１５０に続いて、加速度計算部３は、ステップＳ１４０で算出した搬送波位相の加速度成分（観測量）から、ステップＳ１５０で算出した受信点以外の加速度成分（誤差成分）を除去し、加速度成分のデータ単位の範囲に正規化して、搬送波位相の受信点加速度成分を算出する。さらに、ここでステップＳ１１０で算出した受信機の概略クロックドリフトレートを除去してもよい。また、相対論効果および地球の運動による影響を除去してもよい。
【００４５】
（ステップＳ１７０）
ステップＳ１６０に続いて、加速度計算部３は搬送波位相の受信点加速度成分の不定値を算出する。以下、図３を参照しながら、この不定値の算出方法を説明する。まず、加速度計算部３は、ステップＳ１１０およびＳ１３０で算出した受信点の概略加速度あるいは概略加速度の推定値に基づく受信点の概略加速度ベクトルＡ０について、各衛星ｉ（ｉ＝１，２，３，・・・）の方向に投影したベクトルＡ０ｉ（受信点の概略加速度の衛星方向成分）を求める。
【００４６】
続いて、加速度計算部３は、ステップＳ１６０で算出した搬送波位相の受信点加速度成分Φｉａｒ（値域が制限された加速度成分のデータ値）に対して、加速度成分のデータ単位と不明整数値の候補値（・・・，−２，−１，０，１，２，・・・）とを乗算した値（加速度成分の不定値の候補値）を加算することによって、搬送波位相の受信点加速度成分の候補値３００，３００ａを算出する。加速度計算部３は、上記のようにして算出した搬送波位相の受信点加速度成分の候補値３００，３００ａの中から、上記のベクトルＡ０ｉの値と最も近い候補値３００ａ（受信点加速度ベクトルＡｒの衛星ｉ方向成分測定値に相当）を選択する。この候補値を算出するときに使用された不定値の候補値が不定値の解である。
【００４７】
（ステップＳ１８０）
ステップＳ１７０に続いて、加速度計算部３は、ステップＳ１７０で算出した不定値の解を搬送波位相の受信点加速度成分に加算することによって、不定性を解消した搬送波位相の受信点加速度成分を算出する。
【００４８】
（ステップＳ１９０）
ステップＳ１８０あるいは後述のステップＳ２１０に続いて、加速度計算部３は、受信点の概略位置および衛星位置から方向余弦を算出する。続いて、加速度計算部３は、４個以上の衛星について不定性を解消した搬送波位相の受信点加速度成分と方向余弦および未知数（受信点の３次元の加速度および受信機クロックドリフトレートの４未知数）の方程式（以下の（１８）式）により、受信点の加速度を算出する。
Ｒａ＝Ｈ・Ｘａ  ・・・（１８）
Ｒａ：不定性を解消した搬送波位相の受信点加速度成分行列
Ｈ：方向余弦行列
Ｘａ：受信点加速度および受信機クロックドリフトレート（未知数４個）
【００４９】
衛星数が３個の場合には、過去に求めた直近の受信機クロックドリフトレートに、平滑化した直近の受信機クロックドリフトレートの変化率を積算し、受信機クロックドリフトレートの推定値を算出する。この受信機クロックドリフトレートの推定値を用いて、受信点加速度３成分を未知数とした方程式を解くことによって、衛星が３個でも受信点加速度を求めることが可能である。また、衛星数が４個以上の場合には、各衛星の搬送波位相の受信点加速度成分について、上記の受信機クロックドリフトレートの推定値を除去した値を用いることにより、ステップＳ１７０の不定値の決定における解の信頼性を向上させることが可能である。
【００５０】
（ステップＳ２００）
ステップＳ１９０に続いて、加速度計算部３は、ステップＳ１９０で算出した受信点加速度の信頼性（ＯＫ／ＮＧ）を、以下の３つの方法のいずれか、あるいは複数を用いることにより判定する。
（Ａ）各衛星について求めた不定値の解の周辺（例えば、不明整数値の解±１）において、各不定値に基づく搬送波位相の受信点加速度成分の残差による指標値が最小となる不定値の組合せを求め、その組合せが、最初に求めた解の組合せと一致した場合にＯＫとする。
（Ｂ）各衛星について求めた不定値の解の周辺において、各不定値に基づく搬送波位相の受信点加速度成分の残差による指標値が最小となる不定値の組合せの第１候補と、指標値が２番目に小さい第２候補とを求め、第１候補の組合せが最初に求めた不定値の解の組合せと一致する場合、第１候補と第２候補の指標値の比率を所定の基準値と比較することによって、信頼性を判定する。
（Ｃ）各衛星について求めた不定値の解に基づく搬送波位相の受信点加速度成分の変化量と、同一時間において別途算出した搬送波位相の受信点加速度変化率成分の積算値との差分を所定の基準値と比較することによって信頼性を判定する。
【００５１】
ステップＳ２００において、受信点加速度の信頼性がＯＫ、すなわち受信点加速度が信頼できると判定された場合、処理はステップＳ２２０に進み、受信点加速度の信頼性がＮＧ、すなわち受信点加速度が信頼できないと判定された場合、処理はステップＳ２１０に進む。
【００５２】
（ステップＳ２１０）
ステップＳ２００において、受信点加速度の信頼性がＮＧであると判定された場合、データ処理部３は、受信点加速度の算出で使用した全ての衛星、あるいはＮＧであると判定された原因である衛星について、過去に算出した有効な搬送波位相の受信点加速度成分に対して、別途算出した搬送波位相の受信点加速度変化率成分の積算値を加算することによって、搬送波位相の受信点加速度成分の推定値を算出する。この後、処理はステップＳ１９０に戻る。
【００５３】
（ステップＳ２２０）
加速度計算部３は、上記のようにして算出した受信点加速度にローパスフィルタを適用し、雑音成分を除去する。上記のステップＳ１００〜Ｓ２２０の処理を繰り返すことにより、加速度計算部３は受信点加速度を算出する。なお、ステップＳ２２０の処理は、適宜省略してもよい。
【００５４】
次に、受信点加速度変化率の算出方法を説明する。以下の（１９）式が示すように、加速度計算部３は、観測時刻で取得された搬送波位相について３重の時間差分をとることにより搬送波位相の加速度変化率成分（観測量）を算出する。また、以下の（２０）式が示すように、時間差分の計算に用いる搬送波位相の４つの観測時刻（ｔｋ，ｔｋ−１，ｔｋ−２，ｔｋ−３）の時間間隔は等しいものとする。
ΦｉＪ（ｔｋ）＝〔｛（Φｉ（ｔｋ）−Φｉ（ｔｋ−１））−（Φｉ（ｔｋ−１）−Φｉ（ｔｋ−２））｝−｛（Φｉ（ｔｋ−１）−Φｉ（ｔｋ−２））−（Φｉ（ｔｋ−２）−Φｉ（ｔｋ−３））｝〕／Δｔ３  ・・・（１９）
Δｔ＝ｔｋ−ｔｋ−１＝ｔｋ−１−ｔｋ−２＝ｔｋ−２−ｔｋ−３  （ｋ＝３，４，５，・・・）  ・・・（２０）
ΦｉＪ（ｔｋ）：時刻ｔｋにおける衛星ｉの搬送波位相の加速度変化率成分
Φｉ（ｔｋ）：時刻ｔｋにおいて観測した衛星ｉの搬送波位相
ｔｋ：搬送波位相の観測時刻
Δｔ：観測時間間隔
【００５５】
上記において、搬送波位相の加速度変化率成分ΦｉＪ（ｔｋ）を定義する時刻を観測時間（時刻ｔｋ−３から時刻ｔｋまで）の最新の時刻ｔｋとしているが、観測時間の中間の時刻ｔｍ（以下の（２１）式参照）としてもよい。この場合、上記の（１９）式の代わりに以下の（２２）式を用いる。また、誤差成分や受信点加速度変化率成分などの加速度変化率成分を算出する全ての場合において、この定義に従って加速度変化率成分を算出するものとする。
ｔｍ＝（ｔｋ＋ｔｋ−３）／２  ・・・（２１）
ΦｉＪ（ｔｍ）＝〔｛（Φｉ（ｔｋ）−Φｉ（ｔｋ−１））−（Φｉ（ｔｋ−１）−Φｉ（ｔｋ−２））｝−｛（Φｉ（ｔｋ−１）−Φｉ（ｔｋ−２））−（Φｉ（ｔｋ−２）−Φｉ（ｔｋ−３））｝〕／Δｔ３  ・・・（２２）
ΦｉＪ（ｔｍ）：時刻ｔｍにおける衛星ｉの搬送波位相の加速度変化率成分
【００５６】
続いて、加速度計算部３は、観測された搬送波位相が発射されたときの衛星位置と受信点の概略位置とに基づいて、以下の（２３）式〜（３２）式が示すように、衛星−受信機間距離の加速度変化率成分を算出する。搬送波位相の加速度変化率成分を算出する場合と同様に、加速度計算部３は、衛星−受信機間距離について３重の時間差分をとることにより衛星−受信機間距離の加速度変化率成分を算出する。また、時間差分の計算に用いる衛星−受信機間距離の４つの観測時刻は、観測量の算出で用いた時刻と同一時刻とし、以下の（３２）式が示すように、４つの観測時刻の時間間隔は等しいものとする。さらに、衛星−受信機間距離の加速度変化率成分を算出するときに使用する受信点の概略位置Ｑは、４つの時刻１組（ｔｋ，ｔｋ−１，ｔｋ−２，ｔｋ−３）においては同一の位置とする。なお、搬送波の伝搬時間は、光路差方程式から算出することが可能である。
ＤｉＪ（ｔｋ）＝〔｛（Ｄｉ（ｔｋ）−Ｄｉ（ｔｋ−１））−（Ｄｉ（ｔｋ−１）−Ｄｉ（ｔｋ−２））｝−｛（Ｄｉ（ｔｋ−１）−Ｄｉ（ｔｋ−２））−（Ｄｉ（ｔｋ−２）−Ｄｉ（ｔｋ−３））｝〕／Δｔ３  ・・・（２３）
Ｄｉ（ｔｋ）＝｜Ｐ’ｉ（ｔｋ）−Ｑ｜  ・・・（２４）
Ｄｉ（ｔｋ−１）＝｜Ｐ’ｉ（ｔｋ−１）−Ｑ｜  ・・・（２５）
Ｄｉ（ｔｋ−２）＝｜Ｐ’ｉ（ｔｋ−２）−Ｑ｜  ・・・（２６）
Ｄｉ（ｔｋ−３）＝｜Ｐ’ｉ（ｔｋ−３）−Ｑ｜  ・・・（２７）
Ｐ’ｉ（ｔｋ）＝Ｐｉ（ｔｋ−τｉ（ｔｋ））  ・・・（２８）
Ｐ’ｉ（ｔｋ−１）＝Ｐｉ（ｔｋ−１−τｉ（ｔｋ−１））  ・・・（２９）
Ｐ’ｉ（ｔｋ−２）＝Ｐｉ（ｔｋ−２−τｉ（ｔｋ−２））  ・・・（３０）
Ｐ’ｉ（ｔｋ−３）＝Ｐｉ（ｔｋ−３−τｉ（ｔｋ−３））  ・・・（３１）
Δｔ＝ｔｋ−ｔｋ−１＝ｔｋ−１−ｔｋ−２＝ｔｋ−２−ｔｋ−３  （ｋ＝３，４，５，・・・）  ・・・（３２）
ＤｉＪ（ｔｋ）：時刻ｔｋにおける衛星ｉの移動による衛星−受信機間距離の加速度変化率成分
Ｄｉ（ｔｋ）：時刻ｔｋにおける衛星ｉと受信点の概略位置との距離
Ｐ’ｉ（ｔｋ）：時刻ｔｋにおいて観測した衛星ｉの搬送波位相が衛星ｉから発射されたときの衛星位置
Ｐｉ（ｔｋ）：時刻ｔｋにおける衛星ｉの位置
τｉ（ｔｋ）：時刻ｔｋにおいて観測した衛星ｉの搬送波の伝搬時間
Ｑ：受信点の概略位置
ｔｋ：搬送波位相の観測時刻
Δｔ：観測時間間隔
【００５７】
さらに、加速度計算部３は、衛星クロック誤差、各衛星方向の電離層遅延量、各衛星方向の対流圏遅延量を算出する。衛星クロック誤差および各衛星方向の電離層遅延量は、GPSのインターフェイス仕様ICD-GPS-200記載の方法により算出することが可能である。また、各衛星方向の対流圏遅延量については、各種モデル式により、その推定値を算出することが可能である。なお、SBAS情報を用いて、衛星位置、衛星クロック誤差、各衛星方向の電離層遅延量、各衛星方向の対流圏遅延量を補正してもよい。
【００５８】
さらに、加速度計算部３は、衛星クロック誤差、各衛星方向の電離層遅延量、各衛星方向の対流圏遅延量についてそれぞれ、観測量の時刻に相当する各データの生成時刻における３重の時間差分をとることにより、衛星クロック誤差の加速度変化率成分、各衛星方向の電離層遅延量の加速度変化率成分、各衛星方向の対流圏遅延量の加速度変化率成分を算出する。これら受信点以外の加速度変化率成分である衛星−受信機間距離の加速度変化率成分、衛星クロック誤差の加速度変化率成分、各衛星方向の電離層遅延量の加速度変化率成分、各衛星方向の対流圏遅延量の加速度変化率成分を誤差成分とする。
【００５９】
続いて、加速度計算部３は、搬送波位相の加速度変化率成分（観測量）から、上記のようにして算出した受信点以外の加速度変化率成分（誤差成分）を除去し、搬送波位相の受信点加速度変化率成分を算出する。
【００６０】
続いて、加速度計算部３は、受信点の概略位置および衛星位置から方向余弦を算出する。さらに、加速度計算部３は、４個以上の衛星について誤差成分を除去した搬送波位相の受信点加速度変化率成分と方向余弦および未知数（受信点の３次元の加速度変化率および受信機クロックドリフトレート変化率の４未知数）の方程式（以下の（３３）式）により、受信点の加速度変化率を算出する。
ＲＪ＝Ｈ・ＸＪ  ・・・（３３）
ＲＪ：搬送波位相の受信点加速度変化率成分行列
Ｈ：方向余弦行列
ＸＪ：受信点の加速度変化率および受信機クロックドリフトレート変化率（未知数４個）
【００６１】
前述した受信点加速度の算出と並行して上記の受信点加速度変化率の算出を行うことにより、各観測時刻における受信点加速度および受信点加速度変化率を算出することが可能である。加速度変化率の計測においても、加速度計測と同様に値域の制限は発生する。そこで、データサイズや使用データ時間間隔を予め適当な大きさに設定することにより、測定対象の加速度変化率の範囲における、値域の制限による測定不可能な範囲の発生を回避しておくことが可能である。ただし、実用上、加速度変化率の計測では加速度計測よりも値域の制限による測定不可能な範囲は発生しにくい。
【００６２】
例えば、前述した場合と同様に、40msec間隔で観測したGPS衛星のL1搬送波位相（周波数：1575.42MHz／波長：約19cm）について、その観測データが、整数部を省略した小数部のみのデータである場合、加速度変化率の値域の制限範囲は約2969［m/s３］（約303 G/s）となる（以下の（３４）式参照）。この場合、加速度変化率の制限範囲は、加速度の実用範囲（0〜3G等）における変化に対して十分な余裕を持つ。
0.19［m］／0.04［sec］／0.04［sec］／0.04［sec］＝2969［m/s３］（約303 G/s）（1G＝9.80665［m/s2］）  ・・・（３４）
【００６３】
次に、本実施形態の変形例を説明する。前述した搬送波位相の加速度成分のデータ単位は、観測した全ての衛星について所定の一定値として説明しているが、各衛星で個別に異なる一定値を設定してもよい。
【００６４】
また、以下で説明する搬送波位相の受信点加速度成分の衛星間１重差を用いて受信点加速度を算出してもよい。受信点加速度成分の衛星間１重差とは、互いに独立した異なる衛星の受信点加速度成分の差である。例えば、衛星ｉと衛星ｊの各受信点加速度成分は、不定値を考慮して以下の（３５）式および（３６）式のように表現できる。ただし、衛星ｉ，ｊのデータ単位Ｕａが等しいことを条件とする。
Φｉａｒｕ＝Φｉａｒ＋（Ｕａ・Ｎｉａ）  ・・・（３５）
Φｊａｒｕ＝Φｊａｒ＋（Ｕａ・Ｎｊａ）  ・・・（３６）
Φｉａｒｕ：衛星ｉの受信点加速度成分（不定値を加算）
Φｊａｒｕ：衛星ｊの受信点加速度成分（不定値を加算）
Φｉａｒ：衛星ｉの受信点加速度成分（値域はデータ単位の範囲）
Φｊａｒ：衛星ｊの受信点加速度成分（値域はデータ単位の範囲）
Ｎｉａ：衛星ｉの不明整数値
Ｎｊａ：衛星ｊの不明整数値
Ｕａ：加速度成分のデータ単位
【００６５】
（３５）式と（３６）式の差をとることにより、受信点加速度成分の衛星間１重差は以下の（３７）式となる。
Φｊａｒｕ−Φｉａｒｕ＝（Φｊａｒ−Φｉａｒ）＋（Ｕａ・（Ｎｊａ−Ｎｉａ））  ・・・（３７）
【００６６】
（３７）式における差分の箇所を１重差の変数に置き換えると、以下の（３８）式となる。
ΔΦｊｉａｒｕ＝ΔΦｊｉａｒ＋（Ｕａ・ΔＮｊｉａ）  ・・・（３８）
ΔΦｊｉａｒｕ：衛星ｉと衛星ｊによる受信点加速度成分の衛星間１重差（不定値を加算）
ΔΦｊｉａｒ：衛星ｉと衛星ｊによる受信点加速度成分の衛星間１重差（値域はデータ単位の範囲）
ΔＮｊｉａ：衛星ｉと衛星ｊによる不明整数値の衛星間１重差
【００６７】
上記の（３８）式が示すように、ある１組（２個）の衛星の加速度成分のデータ単位が同じ大きさの場合、受信点加速度成分の衛星間１重差は、当該データ単位に基づく不定性を有する、と考えることができる。この特性を利用すると、「搬送波位相の受信点加速度成分」の衛星間１重差により、受信機内部に起因する共通成分（受信機クロックドリフトレートなど）を相殺してから不定値の解を算出し、受信点加速度を求めることが可能となる。
【００６８】
以下、詳細を説明する。まず、観測量から誤差成分を除去した搬送波位相の受信点加速度成分を求め、各１組の加速度成分のデータ単位が等しく、かつ、互いに独立した３組以上の衛星間１重差を算出する。この「受信点加速度成分の衛星間１重差」は、上記の説明のように当該データ単位に基づく不定性を有する。
【００６９】
続いて、当該「受信点加速度成分の衛星間１重差」で使用した衛星（例えばｉとｊ）の方向に受信点の概略加速度ベクトルＡ０を投影したベクトルＡ０ｉとＡ０ｊ（受信点概略加速度の衛星方向成分）を求め、衛星間１重差ΔＡ０ｊｉ（概略１重差とする）を算出する。そして、不定性を有する「受信点加速度成分の衛星間１重差」の候補値の中から、当該「概略１重差ΔＡ０ｊｉ」に最も近い候補値を選択し、この候補値を算出するときに使用した「衛星間１重差の不定値」を解として求める。
【００７０】
さらに、不定性を解消した「搬送波位相の受信点加速度成分の衛星間１重差」、方向余弦、および未知数（受信点加速度の３次元成分）による、互いに独立な３個以上の方程式を解くことにより、受信点加速度を求める。例えば、以下の（３９）式〜（４１）式のような、互いに独立な組合せによる衛星間１重差を用いた方程式を解けばよい。
ΔΦ２１ａｒｕｎ＝Δｈ２１・Ａｒ  ・・・（３９）
ΔΦ３１ａｒｕｎ＝Δｈ３１・Ａｒ  ・・・（４０）
ΔΦ４１ａｒｕｎ＝Δｈ４１・Ａｒ  ・・・（４１）
ΔΦｊｉａｒｕｎ：衛星ｉと衛星ｊによる不定性を解消した「搬送波位相の受信点加速度成分の衛星間１重差」
Δｈｊｉ：衛星ｉと衛星ｊによる方向余弦の衛星間１重差
Ａｒ：受信点加速度（未知数３個）
【００７１】
次に、不定値の解法における本実施形態の変形例を説明する。不定値の解法において本実施形態では、各衛星について受信点加速度成分の候補値の中から、概略加速度ベクトルを各衛星の方向に投影したベクトルの値に最も近い候補値を選択するとして説明を行ったが、変形例として、受信点加速度ベクトルを直接的に探索するための指標を新たに定義し、当該指標値に基づいて受信点加速度の解を決定してもよい。
【００７２】
まず、概略加速度ベクトルを各衛星の方向に投影したベクトルの値について、その周辺に限定した不定値の候補に基づく複数の受信点加速度ベクトルの候補（候補ベクトルとする）を算出する。ここで、候補ベクトルと概略加速度ベクトルの類似度を示す指標を新たに定義する。そして、当該指標値によって最も類似度が高いと判断される候補ベクトルを解とすればよい。類似度の指標としては、例えば、３次元における候補ベクトルと概略加速度ベクトルとの差分の大きさを指標として定義すると、この指標値が最小のときの候補ベクトルが受信点加速度の解である。
【００７３】
なお、本変形例において候補ベクトルを算出するとき、前述した「加速度成分の衛星間１重差」を利用してもよい。つまり、概略加速度ベクトルを各衛星の方向に投影したベクトルの値について、各衛星の組合せによる衛星間１重差を求め、その周辺に限定した「衛星間１重差の不定値の候補」に基づいて、前述した衛星間１重差の方程式により複数の候補ベクトルを算出することが可能である。
【００７４】
また、本発明で定義したデータ単位に基づく不明整数値の概念および概略加速度ベクトルを用いることにより、既存のGPS搬送波位相による相対測位などで用いられている各種の整数解探索手法を利用することができる。例えば、概略加速度ベクトルを各衛星の方向に投影したベクトルの値あるいはその衛星間１重差に対応する、当該データ単位に基づく不明整数値の実数値を算出する。そして、既存の整数解探索手法における指標（一般にコスト関数と呼ばれる）を利用して、当該実数解から整数解（一般にfloat解およびfix解と呼ばれる）を求めることにより、不明整数値の整数解を確定して受信点加速度の解を得ることができる。
【００７５】
また、搬送波位相の受信点加速度成分の不定値を算出する方法として、５個以上の衛星で観測を行い、要求される計測範囲を満たす不定値の全ての組合せについて、各衛星残差の平方和（あるいは残差に基づく指標値）を算出し、その値が最小になる不定値の組合せを解としてもよい。ただし、この方法では、衛星が５個以上必要であると共に、衛星数が多くなるほど不定値の組合せの数が級数的に増大し、ＣＰＵ処理負荷の増大に伴って、実時間で解を求めることが困難となる。
【００７６】
また、搬送波位相の加速度成分および加速度変化率成分における誤差成分の１つである「衛星の移動による成分」について、本実施形態では、衛星−受信機間距離の加速度成分および加速度変化率成分を用いて説明を行ったが、地球固定座標系における衛星位置に基づいて算出した衛星の加速度および加速度変化率の方向余弦成分を「衛星の移動による成分」として用いてもよい。
【００７７】
また、上記では搬送波位相の加速度成分や加速度変化率成分を観測量としているが、これに代えて、ドップラー周波数偏移の単位時間当たりの変化量（搬送波位相の加速度成分に相当）やその変化率（搬送波位相の加速度変化率成分に相当）を観測量としてもよい。
【００７８】
また、受信点加速度変化率の算出においても、受信点加速度の算出の場合と同様に、データ値の不定性を解決してもよい。
【００７９】
上述したように、本実施形態によれば、値域に制限を有する搬送波位相の加速度成分（またはドップラー周波数の変化率）のデータを用いる場合であっても、新たに定義する不定値に基づく不定性の概念を利用することにより、受信点加速度を求めることができる。したがって、データサイズを低減することができ、受信機の外部機器で受信点加速度等の算出を行う場合には、より高いサンプリング周波数で取得したデータを受信機から外部機器へ伝送することができる。その結果、従来よりも計測の追従性が向上し、また、データ数が増えることから精度も向上する。あるいは、従来と同じ頻度のデータを伝送する場合には、データサイズの低減により通信コストを削減することができる。
【００８０】
また、搬送波位相を利用することにより、高精度に計測を行うことができる。さらに、連続する３時刻で搬送波位相を観測すれば受信点加速度を求めることができるため、短い観測時間で計測を行うことができる。さらに、基準受信機を必要とせず、ローコストな計測システムを構成することができる。
【００８１】
また、受信点加速度成分の衛星間１重差を用いて受信点加速度を算出することにより、受信機内部に起因する共通成分を相殺してから受信点加速度を算出するため、高精度に受信点加速度を算出することができる。また、処理過程で求める不定値の解の信頼性が向上する。
【００８２】
以上、図面を参照して本発明の実施形態について詳述してきたが、具体的な構成は上記の実施形態に限られるものではなく、本発明の要旨を逸脱しない範囲の設計変更等も含まれる。例えば、本実施形態では、加速度計算部３が受信機外部の機器内に設けられているとして説明を行ったが、加速度計算部３が衛星受信部２ａや測位部２ｂと共に受信機内部に設けられていてもよい。
【図面の簡単な説明】
【００８３】
【図１】本発明の一実施形態による加速度計測装置の構成を示すブロック図である。
【図２】本発明の一実施形態による加速度計測装置が受信点加速度を算出する手順を示すフローチャートである。
【図３】本発明の一実施形態において、不定値の算出方法を説明するための説明図である。
【符号の説明】
【００８４】
１・・・アンテナ、２・・・測位処理部、２ａ・・・衛星受信部、２ｂ・・・測位部、３・・・加速度計算部、４ａ，４ｂ，４ｃ，４ｄ・・・測位用衛星
【図１】
2010066106.tif 000003
【図２】
2010066106.tif 000004
【図３】
2010066106.tif 000005